(57)【要約】【課題】ウオーキングハース炉における耐火性炉床の縁部の強度、耐久性を向上させ、ブロック崩落の危険性が減少させることにより、搬送トラブルが生じ難いようにする。【解決手段】側面が略Ｌ形なるように予め成形・焼成されたコーナーブロック１１を起立辺部１１ｂが外側となるように炉床基盤１０の側縁に隣接状に並設し、定形ブロック１２を隣接する該各コーナーブロックの水平辺部１１ａ上に跨るように載置する。また、水冷管６が埋設された炉床基盤の側縁材５に上面が内向傾斜状の斜面部８を形成し、コーナーブロック１１の踵部下面に該斜面部に沿う切欠面１１ｃを形成し、該切欠面が該斜面部上に当たるようにする。【選択図】図２
2007327714.tif 000002
【特許請求の範囲】
【請求項１】
側面が略Ｌ形なるように予め成形・焼成されたコーナーブロックをその起立辺部が外側となるように炉床基盤の側縁に隣接状に並設するとともに、定形ブロックを隣接する該各コーナーブロックの水平辺部上に跨るように載置し、該定形ブロックの荷重により該各コーナーブロックが炉床基盤の側縁に移動不能に保持されるようにしたことを特徴とするウオーキングハース炉の耐火性炉床。
【請求項２】
水冷管が埋設された炉床基盤の側縁材に上面が内向傾斜状の斜面部を形成するとともに、コーナーブロックの踵部下面に該斜面部に沿う切欠面を形成し、該切欠面が前記斜面部上に当たるように該コーナーブロックを並設したことを特徴とする請求項１に記載したウオーキングハース炉の耐火性炉床。
【発明の詳細な説明】
【技術分野】
【０００１】
本発明は、耐火性のブロックを多数個並設することにより構成されるウオーキングハース炉の耐火性炉床に関するものである。
【背景技術】
【０００２】
一般にウオーキングハース炉は、鋼片（ビレット）を固定炉床と可動炉床に交互に支持させて炉内を搬送するもので、搬送時に鋼片が固定炉床や可動炉床の縁部（コーナー部）に接触し衝撃を与えるために、その炉床耐火物が減耗、又は割損し易いものであった。
また、従来のウオーキングハース炉の耐火性炉床は、下記特許文献１にも示されたように、上記縁部を不定形耐火物（キャスタブル）により形成したものであった。
【特許文献１】特開昭４９−９１００７号公報
【発明の開示】
【発明が解決しようとする課題】
【０００３】
ところが、不定形耐火物は水分を多く含ませて型枠に流し込んで自然乾燥させるものであるので、自然乾燥および型枠除去の工程に多大な時間を費やし、施工期間が長くなると共に、自然乾燥後も内部に多量の水分を含有するため、炉内にて焼成される際にその水分が水蒸気化し、内部応力が生じて破裂・崩壊を引き起こす危険性がある。
また、不定形耐火物は、予め成形・焼成された定形ブロック（定形レンガ）と比較すると概して耐熱温度が低く、鋼片との接触により減耗し易いので寿命が短いという問題があるほか、鋼片から受ける荷重、衝撃によってクラックが発生するとそのクラックが周囲にも波及し崩落し易く、一気に搬送トラブルを招くおそれがあるなどの問題がある。
【０００４】
そこで、本発明に係るウオーキングハース炉の耐火性炉床は、不定形耐火物に依らず、予め成形・焼成されたコーナーブロックによって縁部が容易に形成されるようにし、上記問題点を解決しようとするものである。
【課題を解決するための手段】
【０００５】
そのために請求項１に記載したウオーキングハース炉の耐火性炉床は、側面が略Ｌ形なるように予め成形・焼成されたコーナーブロックをその起立辺部が外側となるように炉床基盤の側縁に隣接状に並設するとともに、定形ブロックを隣接する該各コーナーブロックの水平辺部上に跨るように載置し、該定形ブロックの荷重により該各コーナーブロックが炉床基盤の側縁に移動不能に保持されるようにしたことを特徴とする。
このため、定形ブロックの重力がコーナーブロックの水平辺部上に掛かり、各コーナーブロックが振動、衝撃等によって無用に移動することがない堅固なものになる。
また、請求項２に記載した発明は、上記耐火性炉床において、水冷管が埋設された炉床基盤の側縁材に上面が内向傾斜状の斜面部を形成するとともに、コーナーブロックの踵部下面に該斜面部に沿う切欠面を形成し、該切欠面が前記斜面部上に当たるように該コーナーブロックを並設したことを特徴とする。
このため、コーナーブロックの重力が斜面部に掛かることにより該コーナーブロックに内向きに動こうとする力が掛かるので、ブロック同士が常に隙間無く整然とした状態に保形され堅固なものとなる。
【発明の効果】
【０００６】
本発明に係る耐火性炉床では、縁部の強度、耐久性が向上し、ブロック崩落の危険性が少なくできる。
【発明を実施するための最良の形態】
【０００７】
図１は本発明の実施形態を示すウオーキングハース炉の耐火性炉床の横断面図で、１ａ〜１ｃは固定炉床、２ａ，２ｂは可動炉床、３ａ，３ｂは炉壁である。なお、Ａは搬送物である鋼片を示す。該固定炉床１ａ〜１ｃおよび可動炉床２ａ，２ｂは、図２に中央の固定炉床１ｂについて拡大して示したように、Ｈ形鋼からなる枠体４の上面を耐熱性金属板からなる側縁材５により囲繞し、該側縁材５の内側に水冷管６を配設し、該水冷管と側縁材５の内面とに接合板７を溶接して連結し、該接合板７の上面に内向傾斜状（傾斜角約１１度）の斜面部８が形成されるようにする。そして、側縁材５の内側に不定形耐火物９を多層に形成することにより炉床基盤１０を構築する。
【０００８】
図４、図５にも示したように、１１はコーナーブロックで、該コーナーブロックは、ケイ石、アルミナ等の耐火材料により水平辺部１１ａと起立辺部１１ｂとからなる側面略Ｌ形に成形し、該コーナーブロックの踵部下面には前記斜面部８に沿う切欠面１１ｃ（図４中の角度αが約１１度）を形成し、該切欠面と相対する上面に逃がし用の面取面１１ｄを形成し、これを高温度で焼成してなるものである。
【０００９】
そしてこのコーナーブロック１１を、起立辺部１１ｂが外側となるように、かつ切欠面１１ｃが前記斜面部８上に当たるように炉床基盤１０の側縁に隣接状に並設し、該各コーナーブロック１１の水平辺部１１ａ上に跨るように直方形等の定形ブロック１２を載置する。（ちなみに、図３に示されるように、定形ブロック１２の幅はコーナーブロック１１の幅の２倍程度のものとして成形される）。こうして定形ブロック１２の荷重により該各コーナーブロック１１が炉床基盤１０の側縁に移動不能に保持されるようにする。なお、１３は定形ブロック１２の内側で炉床基盤１０上平面を覆うように配置された方形板状の定形ブロックである。これらの定形ブロック１２、１３はコーナーブロック１１と同様にケイ石、アルミナ等の耐火材料によりそれぞれ直方形、或いは方形板状等に成形され、これを高温度で焼成したもので、該定形ブロック１２、１３を炉床基盤１０の側縁を除く全面に配置することにより、該炉床基盤１０が高温度から保護されるようにする。
なお、固定炉床１ａ，１ｃおよび可動炉床２ａ，２ｂについてもこの固定炉床１ｂと同様にコーナーブロック１１と定形ブロック１２、１３を配置することにより構築される。
【００１０】
このように構成した耐火性炉床は、定形ブロック１２の重力がコーナーブロック１１の水平辺部１１ａ上に掛かり、該各コーナーブロック１１が振動、衝撃等によって無用に移動することがない堅固なものになる。また、１つの定形ブロック１２が隣り合うコーナーブロック１１の水平辺部１１ａ上に跨って載置されるようにしたことにより、その一方のコーナーブロックがたとえ破壊したとしても隣のコーナーブロック１１が定形ブロック１２を支持し得るので、搬送中に鋼片が１つのコーナーブロックに衝突して破壊したとしても定形ブロック１２が崩落し難くなると共に、１つのコーナーブロック１１にクラックが入ってもそのクラックが他のコーナーブロックにも伝播して崩落が大きくなるようなことがない。
【００１１】
また、コーナーブロック１１の重力が斜面部８に掛かることにより該コーナーブロック１１には該斜面部８に沿って内向きに動こうとする力が掛かるので、ブロック同士が常に隙間無く整然とした状態に保形される。このため、一層堅固なものとなり、振動、衝撃等によりコーナーブロック１１がはみ出したり安易に脱落して搬送トラブルを起こすおそれがない。
【図面の簡単な説明】
【００１２】
【図１】本発明の実施形態を示すウオーキングハース炉の耐火性炉床の横断面図。
【図２】図１の部分拡大図。
【図３】図２の平面図。
【図４】本発明の実施形態を示すコーナーブロックの斜視図。
【図５】図４のコーナーブロックを他方面から見た斜視図。
【符号の説明】
【００１３】
１ａ〜１ｃ    固定炉床
２ａ，２ｂ    可動炉床
５            側縁材
６            水冷管
７            接合板
８            斜面部
１０          炉床基盤
１１          コーナーブロック
１１ａ        水平辺部
１１ｂ        起立辺部
１１ｃ        切欠面
１２          定形ブロック
【図１】
2007327714.tif 000003
【図２】
2007327714.tif 000004
【図３】
2007327714.tif 000005
【図４】
2007327714.tif 000006
【図５】
2007327714.tif 000007